(57)【要約】【課題】  ストラップを通す穴を携帯電話機の二つの側面にわたって形成すると、使用する金型の数が多くなるという問題があった。【解決手段】  操作部により入力された操作指示に応じた処理を実行する電子部品が実装された基板が内部に配置された下筐体１の一側面に、内部と外部を貫通するストラップ用穴４、５がともに形成され、このストラップ用穴４、５にストラップ３のひもが通されて、ストラップが取り付けられる。したがって、ストラップ用穴を有する筐体を形成する金型の数を減すことができる。【選択図】  図１
2006093328.tif 000002
【特許請求の範囲】
【請求項１】
利用者が操作指示を入力するための操作部が備えられたカバーと、
このカバーに備えられた前記操作部により入力された操作指示に応じた処理を実行する電子部品が実装された基板が内部に配置され、前記カバーが取り付けられて筐体を構成するケースと、
前記カバーが取り付けられた前記ケースの外部側面のうち所定の一側面に、前記ケースの内部と外部を貫通する第一の貫通穴と第二の貫通穴を互いに隣接するように形成し、前記ケースの内側において前記第一の貫通穴および前記第二の貫通穴に対向する空間を隔するように、前記第一の貫通穴および前記第二の貫通穴側に一定の空間を持たせて、前記第一の貫通穴および前記第二の貫通穴を覆う閉塞部材と設けたことを特徴とする携帯機器。
【請求項２】
閉塞部材は、ケースにカバーを取り付けた状態で、前記ケースに形成された第一の貫通穴と第二の貫通穴と対向する前記カバーの内側側面の所定位置において、前記カバーと一体成型されていることを特徴とする請求項１に記載の携帯機器。
【請求項３】
閉塞部材は、カバーの内側側面の前記第一の貫通穴と前記第二の貫通穴と略対向する位置に設けられたリブにより、前記第一の貫通穴と前記第二の貫通穴が設けられたケースの内側側面に押圧されることを特徴とする請求項１に記載の携帯機器。
【発明の詳細な説明】
【技術分野】
【０００１】
本発明は、携帯電話機など携帯機器に装着されるストラップを通すストラップ取り付け穴を有する携帯機器に関する。
【背景技術】
【０００２】
携帯機器の一種である携帯電話機は、常に利用者に携帯されることが多い。したがって、利用者が外出先で携帯電話機を落とさないように、クリップ付きのストラップが携帯電話機に取り付けられている。また、クリップではなく、利用者の好みによりアクセサリが付けられたストラップも一般的に普及している。携帯電話機には、電池カバーが設けられている筐体背面側から、携帯電話機を立てた状態で最上部になる筐体天面側を貫通する穴（ストラップ用穴）が設けられており、この穴にストラップのひもが通されることで、ストラップは携帯電話機に取り付けられる。また、ストラップ用穴は、筐体背面側から筐体の長手方向の側面側に貫通形成されていることもある。特許文献１の図には、筐体背面側から筐体天面側に貫通形成されたストラップ用の穴が設けられた携帯電話機が示されている。また、筐体背面側から筐体側面側に掛けて貫通形成されたストラップ用穴が設けられた携帯電話機を図５および図６に示す。
【０００３】
【特許文献１】特開２０００―３１２２５０号公報
【発明の開示】
【発明が解決しようとする課題】
【０００４】
ところで、図５および図６に示すように、携帯電話機筐体の背面６側から天面側ないし側面側１７のように、筐体を形成する２つの側面にわたって貫通するストラップ用穴１５および１６を形成するには、３種類の金型が必要である。図７は、３種類の金型を用いて、２側面にわたって貫通するストラップ穴を有する筐体を形成する工程を示す説明図である。図７には、金型により形成される筐体のうち、ストラップ用穴が設けられた部分のみ切り出されて示される。図７に示すように、固定側金型１１、可動型金型１２、側面方向へスライドするスライド型金型１８が圧接することにより、筐体１が形成される。より具体的には、背面側のストラップ穴１５は固定型金型１１により、側面１７側のストラップ穴１６はスライド型金型１８により形成される。このように、筐体の二つの側面を貫通するストラップ穴を形成するには、金型が３種類必要である。図８は、２種類の金型を用いて、２側面にわたって貫通するストラップ穴を有する筐体を形成する工程を示す説明図である。仮に、固定型金型１１と可動型金型１２の２種類の金型のみを用いて、二つの側面にわたって貫通するストラップ用穴１５、１６を形成した場合、ストラップ用穴の一部に貫通しない部分（アンダーカットという。図８の２０）が残ってしまうので、ストラップを通すことはできない。
【０００５】
携帯電話機を製作する費用を削減するためには、使用する金型の数を減らすことが好ましい。また、金型の数を減らしても代わりに必要となる追加工程や追加部品が発生しなければさらに費用削減効果が期待できる。そこで、本発明は、ストラップ穴を有する筐体を形成するのに必要な金型の数を削減し、低コストで携帯機器を提供することを第一の目的とする。また、金型の数を減らしても、追加部品や追加工程が発生しない構造の携帯電話機を提供することを第二の目的とする。
【課題を解決するための手段】
【０００６】
本発明にかかる携帯機器は、利用者が操作指示を入力するための操作部が備えられたカバーと、このカバーに備えられた操作部により入力された操作指示に応じた処理を実行する電子部品が実装された基板が内部に配置され、カバーが取り付けられて筐体を構成するケースと、カバーが取り付けられたケースの外部側面のうち所定の一側面に、ケースの内部と外部を貫通する第一の貫通穴と第二の貫通穴を互いに隣接するように形成し、ケースの内側において第一の貫通穴および第二の貫通穴に対向する空間を隔するように、第一の貫通穴および第二の貫通穴側に一定の空間を持たせて、第一の貫通穴および第二の貫通穴を覆う閉塞部材と設けたものである。
【発明の効果】
【０００７】
本発明にかかる携帯機器は、利用者が操作指示を入力するための操作部が備えられたカバーと、このカバーに備えられた操作部により入力された操作指示に応じた処理を実行する電子部品が実装された基板が内部に配置され、カバーが取り付けられて筐体を構成するケースと、カバーが取り付けられたケースの外部側面のうち所定の一側面に、ケースの内部と外部を貫通する第一の貫通穴と第二の貫通穴を互いに隣接するように形成し、ケースの内側において第一の貫通穴および第二の貫通穴に対向する空間を隔するように、第一の貫通穴および第二の貫通穴側に一定の空間を持たせて、第一の貫通穴および第二の貫通穴を覆う閉塞部材と設けたので、筐体を形成する金型の数を減らすことができるという効果を奏する。
【発明を実施するための最良の形態】
【０００８】
実施の形態１．
図１は、本発明の実施の形態１にかかる携帯機器の外観を示す斜視図である。図１に示す携帯機器は、その一例として携帯電話機を示すものであり、とくに操作部を備えた下筐体１と、表示部を備えた上筐体２が連結されて構成された２つ折れ携帯電話機ないしスライド型携帯電話機を示すものである。図１に示す携帯電話機は、上筐体２の操作部側を下にして、下筐体１の操作部が備えられた正面側の反対側に位置する背面６側を上にして図示されている。ストラップ３は、下筐体１の背面６に設けられた二つのストラップ用穴４、５にひもが通されることにより、携帯電話機の下筐体１に取り付けられている。ストラップ用穴４、５は、下筐体１の同一側面（図１で示す下筐体１の背面６）にともに形成されている。なお、図１の携帯電話機の下筐体１の手前側の面は、携帯電話機の下筐体１を保持したときに、下筐体１の上部に位置する天面７であり、その内部に内蔵アンテナ８が設けられるのが通常である。
【０００９】
図２は本発明の実施の形態１にかかる携帯機器の下筐体１の背面と断面を示す図である。図２（ａ）は下筐体１の背面６を示す平面図であり、図２（ｂ）は下筐体１のＡ−Ａ断面図、図２（ｃ）は下筐体１のＢ−Ｂ断面図である。なお、図２において図１と同一の符号は同一または相当部分を示すので説明は省略する。図２(ａ)には、下筐体１の背面６上にストラップ用穴４および５が設けられている様子が示されている。また、下筐体１の背面６には、ストラップ用穴４、５のほか、電池カバーが設けられている。図２(ｂ)には、下筐体１のＡ−Ａ断面が示されている。図２(ｂ)において、下筐体１は、内部に回路基板などが収納されるケース９と、このケース９を覆うカバー１０から構成される。カバー１０の表面には操作部が設けられている。図２(ｂ)に示すように、ストラップ用穴４と５はケース１０の内部と外部を貫通しているため、下筐体１をケース９とカバー１０を組み付けるにあたり、この貫通穴（図３の１３）を、ケースの内部側から塞ぐための部材（以下、閉塞部材と称する）が必要である。
【００１０】
図２(ｂ)に示す下筐体１のカバー１０は、ケース９に組み付けた状態でストラップ用穴４、５による貫通穴１３を塞ぐような形状に形成されている。具体的には、カバー１０の内面側には、カバー１０とケース９を組み付けた状態でストラップ穴周壁１４と接触する接触部２０が形成されているので、ケース９にカバー１０を組み付けることにより、同時にストラップ穴４、５による貫通穴１３が塞がれることになる。つまり、接触部２０は、ストラップ穴周壁１４と接触することにより、ケース９の内側において貫通穴１３に対向する空間を隔するように、貫通穴１３側に一定の空間を持たせて貫通穴１３を覆う閉塞部材として機能する。このように、カバー１０の内面側に、カバー１０とケース９を組み付けた状態でストラップ穴周壁１４と接触する接触部２０を形成することにより、貫通穴を塞ぐための閉塞部材を別に用意する必要もなく、また、閉塞部材を貫通穴に取り付ける追加工程も不要である。図３は、本発明の実施の形態１にかかる携帯機器の下筐体１のケース９部分を形成する工程を示す説明図である。図３には、金型により形成されるケース９の、ストラップ用穴４および５が設けられた部分のみ切り出されて示される。図３に示すように、固定型金型１１と可動型金型１２が圧接することにより、下筐体１のケース９が形成される。固定型金型１１と可動型金型１２が直接接触する部分がストラップ穴４と５であり、ケース９の内部と外部を貫通する貫通穴１３になっている。
【００１１】
上記説明のように、下筐体１のケース９の背面６上にストラップ用穴４、５を形成することにより、言い換えると、同一側面上にストラップのひもが通される二つの穴がともに形成される筐体構造を採用することにより、金型を３種類から２種類に減らすことができる。また、下筐体１は、ケース９にカバー１０を組み付けて構成されるが、カバー１０の内面側の、ケース９とカバー１０を組み付けた状態でケース９のストラップ穴４および５と対向する所定位置に、ストラップ穴周壁１４と接触する接触部２０を形成することにより、貫通穴１４を塞ぐための専用の閉塞部材を設ける必要もないし、閉塞部材を用いて貫通穴を塞ぐ追加工程も発生しない。したがって、（１）金型の数の削減、という第１の効果を得ることができるとともに、（２）貫通穴閉塞用の部材は追加不要（つまり部品点数は変わらない）、（３）貫通穴を閉塞する工程の追加不要（工程数は増加しない）という第２および第３の効果を得ることができる。
【００１２】
実施の形態２．
実施の形態１では、下筐体１を構成するカバー１０の内面側の、ケース９とカバー１０を組み付けた状態でケース９のストラップ穴４および５と対向する所定位置に、ストラップ穴周壁１４と接触する接触部２０を形成することにより、貫通穴１４を塞いでいた。しかし、実施の形態１のごとく下筐体１のカバー１０の内面側に閉塞部材（接触部２０）を設けるのではなく、貫通穴１３を塞ぐ専用の部材を用いて貫通穴１３を塞ぐことにより、下筐体１の内部空間を広くできるという利点がある。
【００１３】
図４は、本発明の実施の形態２にかかる携帯機器の下筐体断面を示す断面図である。図４において、図２と同一の符号は同一または相当部分を示すので説明は省略する。図４に示すように、ストラップ用穴４および５による貫通穴は、カバー１０とは別の部品である閉塞部品２１により塞がれる。そして、この閉塞部品２１による貫通穴の閉塞をより強化するために、ケース９にカバー１０が組み付けられた状態で閉塞部品２１をケース９側に押圧するリブ２２が設けられる。上記説明のように、カバー１０とは別体の閉塞部品２１により貫通穴を塞ぐことにより、下筐体１内部の空間を広くすることができる。また、カバー１０と閉塞部品２１の間にリブ２２を設けることにより、閉塞部品２１による閉塞をより強固にすることができる。
【図面の簡単な説明】
【００１４】
【図１】本発明の実施の形態１にかかる携帯機器の外観を示す斜視図である。
【図２】本発明の実施の形態１にかかる携帯機器の下筐体の背面と断面を示す図である。
【図３】本発明の実施の形態１にかかる携帯機器の下筐体のケースを形成する工程を示す説明図である。
【図４】本発明の実施の形態２にかかる携帯機器の下筐体断面を示す断面図である。
【図５】筐体背面側から筐体側面側に掛けて貫通形成されたストラップ用穴が設けられた携帯電話機を示す斜視図である。
【図６】筐体背面側から筐体側面側に掛けて貫通形成されたストラップ用穴が設けられた携帯電話機を示す平面図である。
【図７】３種類の金型を用いて、２側面にわたって貫通するストラップ穴を有する筐体を形成する工程を示す説明図である。
【図８】２種類の金型を用いて、２側面にわたって貫通するストラップ穴を有する筐体を形成する工程を示す説明図である。
【符号の説明】
【００１５】
１  下筐体、２  上筐体、３  ストラップ、４  ストラップ用穴、５  ストラップ用穴、
６  背面、７  天面、８  内蔵アンテナ、９  ケース、１０  カバー、１１固定型金型、
１２  可動型金型、１３  貫通穴、１４  ストラップ穴周壁、１５  ストラップ用穴、
１６  ストラップ用穴、１７  側面、１８  スライド型金型、１９  アンダーカット、
２０  接触部、２１  閉塞部品、２２  リブ
【図１】
2006093328.tif 000003
【図２】
2006093328.tif 000004
【図３】
2006093328.tif 000005
【図４】
2006093328.tif 000006
【図５】
2006093328.tif 000007
【図６】
2006093328.tif 000008
【図７】
2006093328.tif 000009
【図８】
2006093328.tif 000010